(57)【要約】【課題】タイルの飛散を防止するとともに、基盤のメンテナンスやタイルの張り替え等を容易に行うことができる基盤構造体及び基盤構造体の施工方法を提供する。【解決手段】基盤２上に配置されたタイル４と、前記基盤２上に張設され、前記タイル４を掛止するワイヤ部材５と、を有することを特徴とする。本発明によれば、タイルの飛散を防止するとともに、基盤のメンテナンスやタイルの張り替え等を容易に行うことができる。【選択図】図１
2009215852.tif 000002
【特許請求の範囲】
【請求項１】
基盤上に配置されたタイルと、
前記基盤上に張設され、前記タイルを掛止するワイヤ部材と、
を有することを特徴とする基盤構造体。
【請求項２】
基盤上に配置されたベース部材と、
前記ベース部材に接合されたタイルと、
前記基盤上に張設され、前記ベース部材を掛止するワイヤ部材と、
を有することを特徴とする基盤構造体。
【請求項３】
前記ワイヤ部材は、前記タイルの上面よりも前記基盤側に挿通されていることを特徴とする請求項１に記載の基盤構造体。
【請求項４】
前記タイルは、このタイルの外面に切り欠かれた凹溝を備え、
前記ワイヤ部材は、前記凹溝に挿通されていることを特徴とする請求項１又は請求項３に記載の基盤構造体。
【請求項５】
複数の前記タイルは、隣り合う前記タイルと連結される連結部を備え、
前記ワイヤ部材は、前記タイル同士の間に形成された目地に挿通されていることを特徴とする請求項１又は請求項３に記載の基盤構造体。
【請求項６】
前記ワイヤ部材の少なくとも一方の端部にテンショナーが設けられていることを特徴とする請求項１乃至請求項５のいずれか一項に記載の基盤構造体。
【請求項７】
前記テンショナーは、引張方向変換具を介在させて、前記ワイヤ部材の少なくとも一方の端部に設けられていることを特徴とする請求項６に記載の基礎構造体。
【請求項８】
前記基盤と前記タイルの間に介設されるベース部材を有し、
前記ベース部材は、排水部を備えていることを特徴とする請求項１又は請求項３乃至請求項７のいずれか一項に記載の基盤構造体。
【請求項９】
前記ベース部材は、排水部を備えていることを特徴とする請求項２に記載の基盤構造体。
【請求項１０】
基盤にタイルを配置する配置工程と、
前記タイルに、ワイヤ部材を掛け渡しつつ、所定の張力で張設する張設工程と、を含むことを特徴とする基盤構造体の施工方法。
【請求項１１】
基盤にベース部材を配置する配置工程と、
前記ベース部材にタイルを接合する接合工程と、
前記ベース部材に、ワイヤ部材を掛け渡しつつ、所定の張力で張設する張設工程と、を含むことを特徴とする基盤構造体の施工方法。
【発明の詳細な説明】
【技術分野】
【０００１】
本発明は、例えば、バルコニーやベランダなどにタイルを敷設して形成された基盤構造体に関する。
【背景技術】
【０００２】
従来、例えば、戸建て住宅やマンションなどのバルコニー又はベランダなどにおいて、意匠性を向上させたり、排水性を高めたりするために、複数のタイルを敷設して基盤構造体を構築することが知られている。このような基盤構造体は、基盤とタイルの間又は隣り合うタイルの間にモルタルなどを充填・固化させて固定することが一般的に行われている。このように、モルタルなどを充填・固化させることにより、タイルの移動や飛散を防止することができる（特許文献１参照。）。
【０００３】
【特許文献１】特開平６−２６４６０１
【発明の開示】
【発明が解決しようとする課題】
【０００４】
しかしながら、前記した従来の基盤構造体であると、基盤のメンテナンスを行う場合や、タイルを張り替える場合には、作業が煩雑となるという問題があった。
例えば、基盤に防水層が設けられている場合には、ある程度の年数が経過すると、防水層が劣化する可能性があるため、メンテナンスが必要になる。前記した従来の基盤構造体に係る防水層に対してメンテナンスを行う場合は、固化したモルタルなどを破壊して、タイルを除去しなければならなかった。すなわち、固化したモルタルのはつり作業が煩雑になるとともに、モルタルを破壊する際に、基盤に設けられた防水層をも破壊してしまう可能性があった。さらには、モルタルのはつり作業の際に、再利用したいタイルをも破壊してしまう可能性があった。
また同様に、タイルの張り替えを行う場合においても、作業が煩雑になるため、デザインの自由性を奪う原因になっていた。
【０００５】
このような観点から本発明は、タイルの飛散を防止するとともに、基盤のメンテナンスやタイルの張り替え等を容易に行うことができる基盤構造体及び基盤構造体の施工方法を提供することを課題とする。
【課題を解決するための手段】
【０００６】
前記課題を解決するために本発明に係る基盤構造体は、基盤上に配置されたタイルと、前記基盤上に張設され、前記タイルを掛止するワイヤ部材と、を有することを特徴とする。
【０００７】
本発明によれば、タイルが、張設されたワイヤ部材に掛止されるため、タイルの飛散を防止することができる。また、基盤とタイルとをモルタルなどを介して固着せずに、タイルをワイヤ部材で掛止するため、例えば、ワイヤ部材を弛めるだけで、タイルの張り替えや、基盤のメンテナンスを容易に行うことができる。
【０００８】
また、前記課題を解決するために本発明に係る基盤構造体は、基盤上に配置されたベース部材と、前記ベース部材に接合されたタイルと、前記基盤上に張設され、前記ベース部材を掛止するワイヤ部材と、を有することを特徴とする。
【０００９】
本発明によれば、タイルがベース部材に接合されるとともに、ベース部材が張設されたワイヤ部材に掛止されるため、タイルの飛散を防止することができる。また、基盤とベース部材とをモルタルなどを介して固着せずに、ベース部材をワイヤ部材で掛止するため、例えば、ワイヤ部材を弛めるだけで、ベース部材及びタイルの張り替えや、基盤のメンテナンスを容易に行うことができる。
【００１０】
また、前記ワイヤ部材は、前記タイルの上面よりも前記基盤側に挿通されていることが好ましい。このようにすると、ワイヤ部材がタイルの上面よりも下に配置されるので、ワイヤ部材が露出せず、基盤構造体の意匠性を高めることができる。
【００１１】
また、前記タイルは、このタイル外面に切り欠かれた凹溝を備え、前記ワイヤ部材は、前記凹溝に挿通されていることが好ましい。このようにすると、凹溝にワイヤ部材を挿通させて、タイルの移動を抑制しながらワイヤ部材の張りを調節することができるため、基盤構造体の施工性を高めることができる。
【００１２】
また、複数の前記タイルは、隣り合う前記タイルと連結される連結部を備え、前記ワイヤ部材は、前記タイル同士の間に形成された目地に挿通されていることが好ましい。このようにすると、タイルの連結性を高めるとともに、目地にワイヤ部材を挿通させて、タイルの移動を抑制しながらワイヤ部材の張りを調節することができるため、基盤構造体の施工性を高めることができる。また、目地にワイヤ部材を挿通させることで、ワイヤ部材の露出をより抑えることができる。
【００１３】
また、前記ワイヤ部材の少なくとも一方の端部にテンショナーが設けられていることが好ましい。このようにすると、ワイヤ部材の張力を好適に保つことができるため、温度に起因するワイヤ部材の弛みや縮みを解消することができる。
【００１４】
前記テンショナーは、引張方向変換具を介在させて、前記ワイヤ部材の少なくとも一方の端部に設けられていることが好ましい。このようにすると、ワイヤ部材の張設方向とテンショナーの設置場所との関係が柔軟な機構となり、テンショナーの設置スペースが狭小で、ワイヤ部材の張設方向と平行に配置することが困難な場合でも、十分対応することができる。
【００１５】
また、前記基盤と前記タイルの間にベース部材が介設されており、前記ベース部材が排水部を備えていることが好ましい。このようにすると、タイルの表面及び側面を流れる水がベース部材の排水部に導かれて排水されるため、排水機能を高めることができる。
【００１６】
前記課題を解決するために本発明に係る基盤構造体の施工方法は、基盤にタイルを配置する配置工程と、前記タイルに、ワイヤ部材を掛け渡しつつ、所定の張力で張設する張設工程と、を含むことを特徴とする。
【００１７】
本発明によれば、タイルが張設されたワイヤ部材に掛止されるため、タイルの飛散を防止することができる。また、基盤とタイルとをモルタルなどを介して固着せずに、タイルをワイヤ部材で掛止するため、例えば、ワイヤ部材を弛めるだけで、タイルの張り替えや、基盤のメンテナンスを容易に行うことができる。
【００１８】
前記課題を解決するために本発明に係る基盤構造体の施工方法は、基盤にベース部材を配置する配置工程と、前記ベース部材にタイルを接合する接合工程と、前記ベース部材に、ワイヤ部材を掛け渡しつつ、所定の張力で張設する張設工程と、を含むことを特徴とする。
【００１９】
本発明によれば、タイルがベース部材に接合されるとともに、ベース部材が張設されたワイヤ部材に掛止されるため、タイルの飛散を防止することができる。また、基盤とベース部材とをモルタルなどを介して固着せずに、ベース部材をワイヤ部材で掛止するため、例えば、ワイヤ部材を弛めるだけで、ベース部材及びタイルの張り替えや、基盤のメンテナンスを容易に行うことができる。
【発明の効果】
【００２０】
本発明によれば、タイルの飛散を防止するとともに、基盤のメンテナンスやタイルの張り替え等を容易に行うことができる。
【発明を実施するための最良の形態】
【００２１】
次に、本発明の実施形態について、適宜図面を参照しながら説明する。本実施形態では、本発明をベランダの基盤構造体に適用した場合を例にして説明する。ベランダＢは、図１に示すように、建物の外壁Ｔと、一対の側壁Ｓ（Ｓ１，Ｓ２）と、建物の外壁Ｔから離間した位置に設けられた外壁Ｇと、これらの壁材によって囲まれた基盤構造体１とから構成されている。
【００２２】
本実施形態に係る基盤構造体１は、図１及び図２に示すように、基盤２と、ベース部材３と、タイル４と、ワイヤ部材５、テンショナー６とから主に構成されている。
【００２３】
基盤２は、図２に示すように、合板２ａと、防水下地２ｂ、防水層２ｃとから構成されており、この順に下から配置されている。防水下地２ｂは、例えば、モルタル材や断熱材や木材の組合せなどから形成されており、防水層２ｃは、例えば、ＦＲＰ（Fiber Reinforced Plastics）層などから形成されている。防水層２ｃが設置されることにより、ベランダＢの防水性が確保される。本実施形態では、防水下地２ｂに、建物の外壁Ｔから外壁Ｇに向かうに従って下るように水勾配が設けられている。尚、防水層２ｃは、これに限定されることなく、例えば、ゴムシート防水、ウレタン塗膜防水、アスファルト系防水材などから形成されても構わない。
【００２４】
ベース部材３は、図１及び図２に示すように、基盤２とタイル４との間に設けられる部材であって、タイル４の下地となる部材である。ベース部材３は、本実施形態では、平面視略矩形を呈する板状の複数のユニット部Ｕ，Ｕ・・・が碁盤の目状に配置されて一体形成されている。即ち、一のユニット部Ｕに対して、一のタイル４が配置されるように形成されている。
【００２５】
ユニット部Ｕは、図４に示すように、薄板状の本体部３ａと、本体部３ａの下面に設けられた４つの脚部３ｂ，３ｂ・・・とを主に有する。本体部３ａは、タイル４よりも一回り大きく形成されており、本体部３ａの外周に沿って上下方向に貫通する貫通孔３ｅ，３ｅ・・・が形成されている。本体部３ａの上面には、タイル４が載置される載置部３ｃが格子状に形成されており、さらに、載置部３ｃには、後記するタイル４の凹部４ｄと嵌め合わされる複数の凸部３ｄ，３ｄ・・・が形成されている。
【００２６】
図２に示すように、脚部３ｂ，３ｂ・・・は、本体部３ａの下面に所定の間隔をあけて設けられている。これにより、基盤２と本体部３ａの下面との間に、ベランダＢの建物の外壁Ｔ（図１参照）から外壁Ｇに連通する空間３Ａが形成される。したがって、タイル４上を流れる水は、タイル４の側面からユニット部Ｕの貫通孔３ｅに流れ込んだ後、空間３Ａに導かれて基盤２の傾斜下降側に形成された図示しない排水口から排水される。
このように、ベース部材３の下部に設けられた空間３Ａが、排水機能を備えた排水部として機能するため、基盤構造体１の排水機能を高めることができる。
【００２７】
尚、ベース部材３は、本実施形態では樹脂製のものを用いたが、他の材料からなる部材であっても構わない。また、ベース部材３は、本実施形態では複数のユニット部Ｕ，Ｕ・・・が一体形成されたものを用いたが、これに限定されるものではなく、各ユニット部Ｕが分離された形態であっても構わない。また、凸部３ｄの数は、図示の数に限定されることなく、少なくとも１つ以上形成すればよい。
【００２８】
タイル４は、図１及び図２に示すように、略直方体を呈しており、ベース部材３の上に設置されている。複数のタイル４，４・・・は、図１に示すように、碁盤の目状に配列されており、隣り合うタイル４同士の間には、目地７が形成されている。図３に示すように、タイル４の４つの側面のうち、隣接する２つの側面には、それぞれ雄部４ａ，４ａが形成されるとともに、残りの隣接する側面には、それぞれ雌部４ｂ，４ｂが形成されている。雄部４ａは、断面視で円形状を呈し、タイル４の側面から突出形成されるとともに、その先端が水平方向に直角に折り曲げられて平面視略Ｌ字状を呈している。雌部４ｂは、側面視略かまぼこ形状を呈し、タイル４の側面から突出形成されており、その先端側に水平方向に貫通する貫通孔４ｃが形成されている。
【００２９】
隣り合うタイル４，４は、図１及び図２に示すように、それぞれ対応する雄部４ａと雌部４ｂとから構成される連結部４Ａを介して連結されている。すなわち、一方のタイル４の雄部４ａと、他方のタイル４の雌部４ｂとを嵌合することにより、隣り合うタイル４同士が連結されている。また、タイル４は、図４に示すように、その下面に凹部４ｄ，４ｄ・・・が形成されている。この凹部４ｄと、ベース部材３の凸部３ｄとを嵌合することにより、タイル４とベース部材３が接合されている。
【００３０】
尚、本実施形態のタイル４は、樹脂素材を用いているが、これに限定されることなく、例えば、磁器、半磁器、陶器質、自然石、人工石、木材など、他の素材を用いても構わない。また、タイル４の形状及び数は、図示のものに限定されることなく、適宜変更しても構わない。例えば、タイル４の形状を平面視長方形状や平行四辺形状などに形成しても構わない。また、雄部４ａ及び雌部４ｂの数は、図示の数に限定されることなく、少なくとも１つ以上あればよい。また、タイル４に凸部を形成し、ベース部材３に凹部を形成して、タイル４とベース部材３を接合してもよい。また、タイル４同士の接合やタイル４とベース部材３の接合には、例えば、接着剤などを用いても構わない。さらに、ベース部材３を省略して基盤２の上に直接タイル４を設置しても構わない。
【００３１】
ワイヤ部材５は、公知のワイヤを適宜選択して用いることができ、例えば、ステンレス鋼やＮｉ−Ｔｉ系合金などのような金属材料で構成されるとともに、編線で構成されたものを用いるのが好ましい。ワイヤ部材５は、図１及び図２に示すように、ベランダＢの短手方向の目地７に一列置きに挿通されるとともに、その下部が連結部４Ａの上面に当接されている。また、ワイヤ部材５は、図１に示すように、その一端が建物の外壁Ｔ側に配置されたテンショナー６に固定されるとともに、他端が例えば、図示しない金具などを介して外壁Ｇに固定されている。ワイヤ部材５は、所定の張力で基盤２の上面から離間した位置に張設されており、タイル４を掛止している。
【００３２】
尚、ワイヤ部材５は、前記した素材に限定されるものではなく、例えば、アルミニウム製、銅製、樹脂製、炭素繊維、またはこれらの複合材などの線状の部材を用いても構わない。また、ワイヤ部材５は、例えば、溶接を施して外壁Ｔに固定してもよいし、接着剤を介して外壁Ｔに固定しても構わない。また、ワイヤ部材５の掛止場所は、適宜変更してもよく、例えば、長手方向の目地７にワイヤ部材５を挿通してもよいし、短手方向及び長手方向の双方の目地７にワイヤ部材５を挿通しても構わない。また、ワイヤ部材５の数は、少なくとも１つ以上設置すればよい。また、ワイヤ部材５の固定場所は、固定部材などを介して、基盤２に固定してもよい。
【００３３】
テンショナー６は、図５に示すように、固定部材６ａと、弾性部材６ｂと、保持部材６ｃと、一対の押圧部材６ｄ，６ｄと、収納ケース６ｅとからなる部材であって、ワイヤ部材５が所定の張力を保持し、また、温度差によるワイヤ部材５の長さ変化を吸収するための役割を果す。弾性部材６ｂは、例えば、引っ張りコイルバネからなり、一端が固定部材６ａに、他端が保持部材６ｃに当接され、保持部材６ｃを付勢している。保持部材６ｃは、弾性部材６ｂの伸縮に伴って移動する板状部材であって、弾性部材６ｂと押圧部材６ｄ，６ｄの間に介設されている。また、保持部材６ｃの弾性部材６ｂとは反対側の面には、引張方向変換具たる滑車６ｆを介して張設されたワイヤ部材５の一端が固着されている。ボルトからなる押圧部材６ｄ，６ｄは、筒状を呈する収納ケース６ｅの側面を貫通して設けられており、その先端に保持部材６ｃが当接されている。収納ケース６ｅの側面には、ねじ穴が形成されており、当該ねじ穴を貫通する押圧部材６ｄ，６ｄを締めたり緩めたりすることにより、保持部材６ｃが摺動するように形成されている。収納ケース６ｅは、例えば、公知の接合金具を介して基盤２に固定されている。
【００３４】
ここで、ワイヤ部材５は、温度が高くなると線膨張によって弛み、温度が低くなると線収縮によって縮む性質を有する。特に、ワイヤ部材５は、温度が高くなって張力が低下すると、タイル４が移動したり、飛散したりする原因となるため好ましくない。また、ワイヤ部材５自体の断裂やワイヤ部材５の端部が固定されている箇所に応力が加わり防水層２ｃを破損してしまうため好ましくない。
しかし、前記したテンショナー６によれば、ワイヤ部材５が弛んだ場合には、押圧部材６ｄを締めることにより、保持部材６ｃが固定部材６ａ側に押し込まれるため、保持部材６ｃに固着されたワイヤ部材５の張力を高めることができる。一方で、ワイヤ部材５が収縮した場合には、押圧部材６ｄを緩めてワイヤ部材５の張力を低下させればよい。
【００３５】
尚、本実施形態で示したテンショナー６は、あくまで例示であって、これに限定されるものではない。テンショナー６は、ワイヤ部材５の張力を調節可能に構成されるものであればよく、他の形態であっても構わない。また、テンショナー６を設けたが、テンショナー６は設けずに、例えば両端を固定してもよい。
【００３６】
テンショナー６は、図１及び図５に示すように、タイル４と建物の外壁Ｔとの間に空いたスペース８を利用して設置されている。ここで、図１のＸ−Ｘ線断面図である図６を用いて、スペース８近傍の構成について詳細に説明する。
【００３７】
スペース８近傍は、外壁合板９と、支持金物１０と、合板受材１１と、防水ワッシャー１２，１２と、水切り金物１３と、スペーサー１４とから主に構成されている。
【００３８】
外壁合板９は、建物の壁材の一部であって、防水下地２ｂの端縁から立設されている。防水層２ｃは、防水下地２ｂの表面から連続して、外壁合板９のベランダＢ側の側面に形成されている。
【００３９】
支持金物１０は、側面視略Ｌ字形状を呈し、外壁合板９に固定される外壁合板側固定部１０ａと、この外壁合板側固定部１０ａの下端からタイル４側に向かって延出するタイル側支持部１０ｂとを有する。外壁合板側固定部１０ａは、例えばネジＮ，Ｎによって外壁合板９に固定されている。タイル４側に延設されたタイル側支持部１０ｂの先端側には、滑車６ｆが固定されている。
【００４０】
合板受材１１は、建物内の床１５の上に設置されるとともに、外壁合板９の建物内側の側面に沿って、設置されている。また、ネジＮ，Ｎと外壁合板９及び防水層２ｃとの間に形成される微細な隙間から建物内へ水が浸入するのを防止するために防水ワッシャー１２，１２がネジＮ，Ｎの頭部分と防水層２ｃとの間に設置されている。
【００４１】
水切り金物１３は、防水層２ｃ及び外壁合板９の側面に沿って上方に向かって延出する外壁合板側固定部１３ａと、この外壁合板側固定部１３ａの下端からタイル４に向かうにつれて下方に傾斜する傾斜部１３ｂと、この傾斜部１３ｂの先端から下方に向かって延出している水切り部１３ｃとを有する。水切り部１３ｃは、スペース８の真上に位置するように設置されている。
【００４２】
スペーサー１４は、図１及び図６に示すように、スペース８の上方を覆う部材であって、ベランダＢの長手方向に亘って複数個設置されている。スペーサー１４は、傾斜部１３ｂの裏面から下方に向かって延出する水切り金物側固定部１４ａと、水切り金物側固定部１４ａの下端からタイル４側に向かって延出するタイル側固定部１４ｂとを有する。水切り金物側固定部１４ａの先端は、水切り金物１３の傾斜部１３ｂに当接されている。一方、タイル側固定部１４ｂの下面の略半分は、タイル４の上面に当接されており、例えば、接着剤などによってタイル４に固定されている。また、タイル側固定部１４ｂには、上下方向に貫通する複数の貫通孔１４ｃ，１４ｃ・・・が間隔を空けて形成されている。
【００４３】
すなわち、スペーサー１４は、スペース８に設置されたテンショナー６や滑車６ｆを覆うとともに、支持金物１０を固定するネジＮ，Ｎの露出を防ぐ。また、例えば、水切り金物１３から流下した水は、タイル側固定部１４ｂに形成された貫通孔１４ｃを通って、基盤２から排水される。尚、水切り金物側固定部１４ａの先端は、水切り金物１３の傾斜部１３ｂに当接されていなくてもよい。
【００４４】
ここで、ベランダを構成する壁部材（建物の外壁Ｔ，外壁Ｇ，側壁Ｓ１，側壁Ｓ２）と、タイル４との間に、意図的に又は不可避的にスペースが形成される場合がある。例えば、外壁Ｇ側に排水口が形成されている場合は、当該排水口分のスペースを設けなければならないし、また、例えば、基盤２と敷設されたタイル４の規格寸法が合わない場合は、不可避的にスペースが形成される。このようなスペースは、狭小であるため、ワイヤ部材５の張設方向と平行にテンショナー６を配置することが困難となる。
しかし、本実施形態のように、スペース８に滑車６ｆを設けて、ワイヤ部材５の張設方向を変えることで、狭小なスペース８にテンショナー６を設置することができる。また、本実施形態では、テンショナー６がスペーサー１４に覆われているため、テンショナー６が露出することがなく意匠的にも好適である。尚、本実施形態では、引張方向変換具として、滑車６ｆを用いたが、これに限定されることなく、例えば、スペース８の底面から立設する棒状部材で代用してもよい。
【００４５】
〔施工方法〕
次に、本実施形態の基盤構造体１の施工方法について説明する。本実施形態に係る基盤構造体１の施工方法は、基盤２に複数のタイル４を配置する配置工程と、複数のタイル４に、ワイヤ部材５を掛け渡しつつ、所定の張力で張設する張設工程とを含んでいる。
【００４６】
配置工程は、ベランダＢの基盤２上にベース部材３を配置するとともに、ベース部材３の上に複数のタイル４を嵌めて、配置する工程である。すなわち、目地７が形成されるように、ベース部材３の上に碁盤の目状に、複数のタイル４を配置する。このとき、ベース部材３とタイル４の接合及びタイル４同士の接合は、前記の方法により行う。
【００４７】
張設工程は、複数のタイル４の上にワイヤ部材５を掛け渡しつつ、ワイヤ部材５を張設する工程である。すなわち、ワイヤ部材５の一端を外壁Ｇ若しくはテンショナー６のいずれか一方に固定する。ワイヤ部材５の一端を固定後に、タイル４の目地７にワイヤ部材５を挿通させるとともに、目地７にあるタイル４の連結部４Ａの上面にワイヤ部材５を掛け渡す。そして、所定の張力を保った状態で、タイル４を掛止させつつ、ワイヤ部材５の他端をまだワイヤ部材５が固定されていない外壁Ｇ若しくはテンショナー６のいずれか他方に固定する。最後に、テンショナー６でワイヤ部材５の張力を調節して、所定の張力で張設すると、基盤構造体１が完成する。尚、ベース部材３を省略する場合には、基盤２上に複数のタイル４を配置する。また、テンショナー６の設置は、ワイヤ部材５の一端をテンショナー６に固定するまでに行えばよい。
【００４８】
以上説明した本実施形態に係る基盤構造体１によれば、タイル４が、所定の張力で張設されたワイヤ部材５に掛止されるため、タイル４の飛散を防止することができる。すなわち、ワイヤ部材５は、タイル４同士を連結する連結部４Ａの上面に設置されて、タイル４を掛止しているので、タイル４の飛散を防止することができる。
【００４９】
また、基盤２とタイル４とをモルタルなどを介して固着せずに、タイル４をワイヤ部材５で掛止するため、例えば、ワイヤ部材５を弛めるだけで、タイル４の張り替えや、基盤２のメンテナンスを容易に行うことができる。
また、ワイヤ部材５がタイル４の上面よりも下に配置されるので、ワイヤ部材５が露出せず、基盤構造体１の意匠性を高めることができる。
【００５０】
また、隣り合うタイル４，４が、それぞれ対応する雄部４ａと雌部４ｂとから構成される連結部４Ａを介して連結されているので、タイル４の連結性を高めるとともに、目地７にワイヤ部材５を挿通させて、タイル４の移動を抑制しながらワイヤ部材５の張りを調節することができるため、基盤構造体１の施工性を高めることができる。また、目地７にワイヤ部材５を挿通させることで、ワイヤ部材５の露出をより抑えることができる。
【００５１】
また、ワイヤ部材５にテンショナー６が設置されるため、ワイヤ部材５の張力を好適に保つことができ、温度に起因するワイヤ部材５の弛みや縮みを解消することができる。
また、タイル４の表面及び側面を流れる水がベース部材３の排水部に導かれて排水されるため、排水機能を高めることができる。
【００５２】
以上、本発明の実施形態について説明したが、本発明の趣旨を逸脱しない範囲で適宜変更して実施できるのはいうまでもない。本実施形態では、本発明をベランダＢの基盤に使用したが、戸建て住宅やマンションなどのバルコニーや庭、ビルや商業施設の屋上などに使用しても構わない。
【００５３】
また、本実施形態のタイル４は、複数で構成されているが、１つから構成されてもよい。
【００５４】
また、図７に示すように、タイル４にその側面を貫通する貫通孔４ｅを形成して、ワイヤ部材５を貫通孔４ｅに挿通してもよい。かかる構成によれば、ワイヤ部材５がタイル４の内部に配置されるので、ワイヤ部材５の露出をさらに抑制し、基盤構造体１の意匠性を高めることができる。また、貫通孔４ｅにワイヤ部材５を挿通させて、タイル４の移動を抑制しながらワイヤ部材５の張りを調節することができるため、基盤構造体１の施工性を高めることができる。
【００５５】
また、図８に示すように、タイル４の表面（外面）に切り欠かれた凹溝４ｆを形成して、ワイヤ部材５を凹溝４ｆに挿通してもよい。かかる構成によれば、凹溝４ｆにワイヤ部材５を挿通させて、タイル４の移動を抑制しながらワイヤ部材５の張りを調節することができるため、基盤構造体１の施工性を高めることができる。尚、凹溝４ｆをタイル４の側面に形成してもよい。
【００５６】
また、図９に示すように、ワイヤ部材５でベース部材３を掛止しても構わない。尚、かかる変形例に係る基盤構造体１の説明においては、本実施形態に係る基盤構造体１と重複する部分については、説明を省略する。
【００５７】
本変形例では、ユニット部Ｕを有する複数のベース部材３，３・・・が基盤２の上に碁盤の目状に配置されている。また、隣り合うベース部材３，３・・・は、連結部３Ｂを介して連結されている。すなわち、一方のベース部材３の雄部３ｆと、他方のベース部材３の雌部３ｇとを嵌合することにより、隣り合うベース部材３同士が連結されている。また、タイル４は、接着剤１６を介在して、ベース部材３に接合されている。
【００５８】
ワイヤ部材５は、目地７に挿通されるとともに、その下部が連結部３Ｂの上面に当接されている。ワイヤ部材５は、所定の張力で張設されており、ベース部材３を掛止している。
【００５９】
〔施工方法〕
次に、本変形例に係る基盤構造体１の施工方法について説明する。本変形例に係る基盤構造体１の施工方法は、基盤２に複数のベース部材３を配置する工程と、複数のベース部材３に複数のタイル４を接合する接合工程と、複数のベース部材３に、ワイヤ部材５を掛け渡しつつ、所定の張力で張設する張設工程とを含んでいる。
【００６０】
配置工程は、ベランダＢの基盤２上に複数のベース部材３を配置する工程である。すなわち、目地７が形成されるように、基盤２の上に、複数のベース部材３を配置する。
【００６１】
接合工程は、複数のベース部材３に複数のタイル４を接合する工程である。すなわち、ベース部材３とタイル４との間に接着剤１６を介在して、ベース部材３にタイル４を接合する。尚、ベース部材３とタイル４を接合してから、基盤２上に配置してもよい。
【００６２】
張設工程は、複数のベース部材３の上にワイヤ部材５を掛け渡しつつ、ワイヤ部材５を張設する工程である。すなわち、ワイヤ部材５の一端を外壁Ｇ若しくはテンショナー６のいずれか一方に固定する。ワイヤ部材５の一端を固定後に、ベース部材３の目地７にワイヤ部材５を挿通させるとともに、目地７にあるベース部材３の連結部３Ｂの上面にワイヤ部材５を掛け渡す。そして、所定の張力を保った状態で、ベース部材３を掛止させつつ、ワイヤ部材５の他端をまだワイヤ部材５が固定されていない外壁Ｇ若しくはテンショナー６のいずれか他方に固定する。最後に、テンショナー６でワイヤ部材５の張力を調節して、所定の張力で張設すると、基盤構造体１が完成する。
【００６３】
以上説明した本変形例に係る基盤構造体１によれば、タイル４がベース部材３に接合されるとともに、ベース部材３が張設されたワイヤ部材５に掛止されるため、タイル４の飛散を防止することができる。すなわち、ワイヤ部材５は、ベース部材３同士を連結する連結部３Ｂの上面に設置されて、タイル４と接合しているベース部材３を掛止するので、タイル４の飛散を防止することができる。
【００６４】
また、基盤２とベース部材３とをモルタルなどを介して固着せずに、ベース部材３をワイヤ部材５で掛止するため、例えば、ワイヤ部材５を弛めるだけで、ベース部材３及びタイル４の張り替えや、基盤２のメンテナンスを容易に行うことができる。
また、ワイヤ部材５がタイル４の上面よりも下に配置されるので、ワイヤ部材５が露出せず、基盤構造体１の意匠性を高めることができる。
【００６５】
また、隣り合うベース部材３，３が、それぞれ対応する雄部３ｆと雌部３ｇとから構成される連結部３Ｂを介して連結されているので、ベース部材３の連結性を高めるとともに、目地７にワイヤ部材５を挿通させて、ベース部材３及びタイル４の移動を抑制しながらワイヤ部材５の張りを調節することができるため、基盤構造体１の施工性を高めることができる。また、目地７にワイヤ部材５を挿通させることで、ワイヤ部材５の露出をより抑えることができる。
【００６６】
尚、例えば、図２を参照するように、連結部４Ａとベース部材３の間にワイヤ部材５を挿通させるとともに、ベース部材３の上面にワイヤ部材５を当接させてもよい。また、ベース部材３とタイル４は、凹凸嵌合で接合してもよい。
【００６７】
また、本実施形態では、ワイヤ部材５をベース部材３やタイル４に当接させたが、必ずしも当接させる必要はなく、飛散を防止できる程度に掛止されていてもよい。
【図面の簡単な説明】
【００６８】
【図１】本実施形態に係る基盤構造体の構成を示す一部破断平面図である。
【図２】本実施形態に係る基盤構造体の構成を示す側面図である。
【図３】本実施形態に係る一対のタイルの構成を示す斜視図である。
【図４】本実施形態に係るタイルとベース部材の一部の構成を示す斜視図である。
【図５】本実施形態に係るテンショナーの構成を示す平面図である。
【図６】図１のＸ−Ｘ線断面図である。
【図７】第１の変形例に係るタイルの側面図である。
【図８】第２の変形例に係るタイルの側面図である。
【図９】基盤構造体の変形例の構成を示す側面図である。
【符号の説明】
【００６９】
１      基盤構造体
２      基盤
２ａ    合板
２ｂ    防水下地
２ｃ    防水層
３      ベース部材
４      タイル
４Ａ    連結部
５      ワイヤ部材
６      テンショナー
７      目地
８      スペース
Ｂ      ベランダ
Ｇ      外壁
Ｓ      側壁
Ｔ      建物の外壁
【図１】
2009215852.tif 000003
【図２】
2009215852.tif 000004
【図３】
2009215852.tif 000005
【図４】
2009215852.tif 000006
【図５】
2009215852.tif 000007
【図６】
2009215852.tif 000008
【図７】
2009215852.tif 000009
【図８】
2009215852.tif 000010
【図９】
2009215852.tif 000011